(57)【要約】本発明は、バルブ、特にボールバルブに関し、このボールバルブは、相互に螺着する少なくとも２つの金属部分（１１、１２）により形成される本体からなり、前記本体バルブの部分は、組み立てると相互に合わさるように設計された各円形面（１３、１４）を有する。円形面（１３、１４）には、１つまたはそれ以上の円形面（１３、１４）があり、緊密に相互に嵌り合い、相互作用し、ともに組み立てた部分同士の間に金属シールを形成する１つまたはそれ以上の円形連結部分（１５、１６）がある。
2004525323.tif 000002
【特許請求の範囲】
【請求項１】
螺合する少なくとも２つの金属部分（１１、１２）から構成された本体からなるバルブ、特にボールバルブであって、ボールバルブは、
前記本体バルブの前記部分が、それぞれ、前記部分を組み立てると嵌合するように設計された円形面（１３、１４）を有することを特徴とし、かつ緊密に嵌合し、一度組み立てると前記部分同士の間に金属シールを提供するように相互作用する、１つまたはそれ以上の円形連結部（１５、１６）が前記円形面（１３、１４）にあることを特徴とする、バルブ。
【請求項２】
嵌合するように設計された前記円形面（１３、１４）は、前記金属部分上に形成され前記バルブ本体の前記部分（１１、１２）を組み立てると軸方向に相互に支持し合う肩状部を対向させることによって、画定される請求項１に記載のバルブ。
【請求項３】
前記金属シール用円形連結部は、前記面の一方（１３）に形成された先細側部を有する円形スロート（１５）と、対向する面（１４）上にあり前記スロート内へ嵌り込むように設計された円形プリズム状突起部（１６）とからなる請求項１および２に記載のバルブ。
【請求項４】
前記金属シール用円形連結部は、前記面の一方（１３）に形成された傾斜円形面（１５）と、前記対向した面（１４）上の円形縁（１６）とからなり、前記円形縁（１６）は、前記傾斜面と連結するように設計される請求項１および２に記載のバルブ。
【請求項５】
前記金属シール用円形連結部は、前記面の一方（１３）の上の円形面取り部（１５）と、前記対向した面（１４）上の円形段状部（１６）とからなり、前記円形段状部（１６）は、縁を用いて前記面取り部への締め付けを行う請求項１および２に記載のバルブ。
【請求項６】
前記金属シール用円形連結部は、前記面の一方（１３）上の円形楔状突起部（１５）と、前記対向した面（１４）内の円形スロート（１６）とからなり、前記楔状突起部（１５）の先端は、前記スロートの底部内へ嵌り込む請求項１および２に記載のバルブ。
【請求項７】
前記円形面（１３、１４）は、相互に合わさるように設計され、それぞれ、前記金属部分の一方の内部と、前記他方の金属部分の端部とにある請求項１に記載のバルブ。
【請求項８】
前記金属シール用円形連結部は、前記面の一方（１３）上の少なくとも１つの円形段状部（１５）と、前記段状部（１５）が縁と相互作用する、対向した面（１４）上の面取り部（１６）とからなる請求項７に記載のバルブ。
【請求項９】
前記金属シール用円形連結部は、前記面の一方の上の内部カラー（１５）と、前記カラーと相互作用するように設計された、前記対向した面（１４）上の円形周縁突起部とからなる請求項７に記載のバルブ。
【発明の詳細な説明】
【技術分野】
【０００１】
本発明は、回転ボールシャッターと主要部に螺着されるバルブグランドとを含むボールバルブ内において連結される少なくとも２つの金属部分からなる本体を有するバルブに関する。
【背景技術】
【０００２】
これらのバルブにおいて、本体の連結部同士の間の密閉シールは、通常、弾性材料のガスケットを介在させることにより行われ、これは、いずれにしても、バルブを組み立てる際に部材を追加することを意味し、効率、メンテナンス等の問題を避けられない。
【発明の開示】
【発明が解決しようとする課題】
【０００３】
本発明の目的は、バルブ、特に、本体の、連結された２つの部分同士の間に金属シールを有するとともに、通常は追加するガスケットが排除されるという利点、バルブアセンブリーが簡略化されるという利点、およびあらゆる使用状態でもかつ液体でも気体でもどんな流体の場合にも損なわれない有効なシールを保証するという利点を有するボールバルブを提供することである。換言すれば、連結された金属部分同士の間のシールは、それらが作られたのと同じ材料からなり一体化した部分を用いることにより得られる。
【課題を解決するための手段】
【０００４】
したがって、本発明に係るバルブが、少なくとも２つの金属部分からなる本体からなり、この少なくとも２つの金属部分は、螺合し、組み立てると組み合わさるように設計された前記２つの部分の円形面には、円形の連結部が存在し、この円形連結部は、緊密に嵌合し締め付けられ金属シールをともに提供する。
【０００５】
円形連結部は、種々の幾何学的形状を取り得、いずれにしても、対応の連結面同士を作用させることにより形成可能である。
【０００６】
例として、同封の図面にバルブ本体用金属シールのモデルのいくつかの例を示し、これらを以下にさらに詳細に説明する。
【発明を実施するための最良の形態】
【０００７】
図面に示すボールバルブ用のバルブ本体１０が、図示していないが、ガスケットに対して回転するボールシャッターを収容するように設計された、実在の適切な（real and proper）主要部１１と、主要部１１に同軸に螺着されるバルブグランドと呼ばれる部材１２とからなる。主要部１１およびバルブグランド１２は、円形面１３および１４を有し、これら円形面１３および１４は、緊密に螺合させると嵌合するように設計される。前記面の一番高いところには、１つまたはそれ以上の円形連結部１５および１６がそれぞれあり、これら円形連結部１５および１６は、主要部とバルブグランドとを組み立てるとそれらの間に金属シールを提供するように合わさる。
【０００８】
図１および図２に示した変形では、合わさる円形面１３、１４は、肩状部を対向させることにより画定され、これら肩状部は、一度部材１１、１２が螺合されると軸方向に相互に支持し合う。金属シール用円形連結部は、前記円形面の一方１３内に形成された先細側部を有するスロート１５と、他方の面１４に形成されスロート１５に引っ掛かるように設計されたカラーまたはプリズム状円形突起部１６とからなる。
【０００９】
同様に図３および図４に示す変形では、合わさる円形面１３、１４は、肩状部を対向させることにより画定され、また、金属シール用円形連結部は、前記面の一方１３に形成された、傾斜円形面１５と、対向する面１４に形成され前記傾斜面と嵌合するように設計された円形縁１６とからなる。
【００１０】
同様に、図５および図６に示す変形では、合わさる円形面１３、１４は、部材１１、１２上の肩状部を対向させることにより画定され、また、金属シール用円形連結部は、前記面の一方１３に形成された円形面取り部１５と、対向した面１４に形成され前記面取り部１５に相互作用し縁により締め付けを行う円形段状部１６とからなる。
【００１１】
図７および図８に示す変形では、部材１１、１２の合わさる面１３、１４もまた、肩状部を対向させることにより画定され、また金属シール用円形連結部は、前記面の一方１３に形成された円形楔形突起部１５と、対向する面１４に形成された円形スロート１６とからなり、楔形突起部１５がその頂点を、前記スロート１６の底部に当てそれを保持する。
【００１２】
図９および図１０に示す例では、円形面１３、１４は、それぞれ、主要部１１内において、連結ねじ端部で、かつ主要部に螺着されるバルブグランド端部１２で合わさることが分かる。この場合、金属シール用円形連結部は、主要部とバルブグランドとを組み立てると連結するように、前記面の一方１３に形成された円形段状部１５と、対向する面１４上の面取り部１６とからなる。
【００１３】
同様に、図１１および図１２に示す例では、合わさる円形面１３、１４は、それぞれ、主要部１１内とバルブグランドの端部とにある。円形連結部は、ここでは、２つの部材１１および１２を組み立てると前記突起部がカラー１５と相互作用するように、面１３上に形成された内部カラー１５と、面１４上のカラー状および円形の境界突起部１６とにより構成される。
【００１４】
他の形状も選択可能であり、バルブ本体の部材同士の間の金属シール内の連結部に適し、また同時になお本発明の目的によれば、すなわち、２つの相補的金属部分を組み立てると緊密に連結されることは、明らかである。
【図面の簡単な説明】
【００１５】
【図１】バルブ本体の２つに分かれた部分の断面図を示し、かつ本発明の第１の変形に係る密閉シールを提供するために嵌合するように設計された部分の拡大図をAおよびBで示す。
【図２】組み立てた本体バルブを示す図であり、かつ本体バルブの２つの部分を締結する前の領域をＣで、締結した後の領域をＤで示す２つの拡大図である。
【図３】図１、ＡおよびＢの図と類似するが、前記密閉部の第２の変形による図である。
【図４】図２、ＣおよびＤの図と類似するが、図３、ＡおよびＢの図と同様の密閉部が存在する図である。
【図５】図１、ＡおよびＢにおける図と類似するが、密閉部をさらに変形させた図である。
【図６】図２、ＣおよびＤにおける図と類似するが、密閉部をさらに変形させた図である。
【図７】図１、ＡおよびＢにおける図と類似するが、密閉部をさらに変形させた図である。
【図８】図２、ＣおよびＤにおける図と類似するが、密閉部をさらに変形させた図である。
【図９】図１、ＡおよびＢにおける図と類似するが、密閉部をさらに変形させた図である。
【図１０】図２、ＣおよびＤにおける図と類似するが、密閉部をさらに変形させた図である。
【図１１】図１、ＡおよびＢにおける図と類似するが、密閉部をさらに変形させた図である。
【図１２】図２、ＣおよびＤにおける図と類似するが、密閉部をさらに変形させた図である。
【国際公開パンフレット】
2004525323.tif 000003
2004525323.tif 000004
2004525323.tif 000005
2004525323.tif 000006
2004525323.tif 000007
2004525323.tif 000008
2004525323.tif 000009
2004525323.tif 000010
2004525323.tif 000011
2004525323.tif 000012
2004525323.tif 000013
2004525323.tif 000014
2004525323.tif 000015
2004525323.tif 000016
2004525323.tif 000017
2004525323.tif 000018
【手続補正書】
【提出日】平成15年10月6日(2003.10.6)
【手続補正１】
【補正対象書類名】特許請求の範囲
【補正対象項目名】請求項１
【補正方法】変更
【補正の内容】
【請求項１】
螺合する少なくとも２つの金属部分（１１、１２）から構成された本体からなるバルブ、特にボールバルブであって、ボールバルブは、前記本体バルブの前記部分が、それぞれ、前記部分を組み立てると嵌合するように設計された円形面（１３、１４）を有し、
前記円形面（１３、１４）に、一度組み立てると相互に入り込み金属シール用の相互に相補的な調整を行うように緊密に結合する１つまたはそれ以上の円形連結部（１５、１６）があることを特徴とする、バルブ。
【国際調査報告】
2004525323.tif 000019
2004525323.tif 000020
2004525323.tif 000021